(57)【特許請求の範囲】
【請求項１】
地中に埋設された管路内に新規の水路を構成する工法であって、
前記管路内に、上方に開口し長手方向に沿って汚水等が流れうる樋状のインバート部を形成した水路構成部材を連結する工程と、
連結された前記水路構成部材に所望の勾配を付ける工程と、
勾配を付けた既に補修の済んだ上流側の水路に間隔を開けて新規の水路を構成し、該間隔に水路構成部材を挿入して前記上流側の水路と前記新規の水路とを連結し、該上流側の水路と新規の水路からなる水路を介して汚水を流す水替えの工程と、
前記水路構成部材を前記管路に固定する工程と、を備える管路内における水路構成工法。
【請求項２】
地中に埋設された管路内に新規の水路を構成する工法であって、
前記管路内に、上方に開口し長手方向に沿って汚水等が流れうる樋状のインバート部と該インバート部外方に延出する支持フランジ部とを形成した水路構成部材を支持部材により前記支持フランジ部で宙吊りに支持する工程と、
前記支持部材により支持された前記水路構成部材の鉛直方向の位置を調整して該水路構成部材に勾配を付ける工程と、
前記水路構成部材を勾配を付けた状態で前記管路に固定する工程と、
前記支持部材を取外す工程と、を備える管路内における水路構成工法。
【請求項３】
地中に埋設された管路内に新規の水路を構成する工法であって、
前記管路内に、上方に開口し長手方向に沿って汚水等が流れうる樋状のインバート部を形成した水路構成部材を支持部材により宙吊りに支持する工程と、
前記支持部材により支持された前記水路構成部材の鉛直方向の位置を調整して該水路構成部材に勾配を付ける工程と、
勾配を付けた既に補修の済んだ上流側の水路に間隔を開けて新規の水路を構成し、該間隔に水路構成部材を挿入して前記上流側の水路と前記新規の水路とを連結し、該上流側の水路と新規の水路からなる水路を介して供用中の汚水を流す水替えの工程と、
前記水路構成部材を勾配を付けた状態で前記管路に固定する工程と、
前記支持部材を取外す工程と、を備える管路内における水路構成工法。
【請求項４】
前記支持部材は、前記管路の長手方向に沿って所定間隔で設置される可動部を備えた左右２本の吊下げ軸によって前記水路構成部材を前記インバート部左右で支持し、
前記水路構成部材毎に該左右２本の吊下げ軸を各々移動させて前記水路構成部材の鉛直方向の位置を調整し、
水路構成部材全体として所定の勾配を付けることを特徴とする請求項２又は３に記載の管路内における水路構成工法。
【請求項５】
前記水路構成部材は、吊下げ部材を支持フランジ部に固定し、前記吊下げ部材を前記支持部材に引っ掛けて、前記水路構成部材を前記管路に沿って宙吊りに支持し、前記水路構成部材を支持する支持体はレール状の連続部材であることを特徴とする請求項２〜４のいずれか１項に記載の管路内における水路構成工法。
【請求項６】
地中に埋設された管路内に新規の水路を構成する工法であって、
前記管路内に、上方に開口し長手方向に沿って汚水等が流れうる樋状のインバート部を形成した水路構成部材を支持部材により支持された状態で連結する工程と、連結された前記水路構成部材に所望の勾配を付ける工程と、前記水路構成部材を勾配を付けた状態で前記管路に固定する工程とを備え、
前記水路構成部材は、前記管路と該水路構成部材との間に前記水路構成部材の移動を阻止できる程度の高さまでコンクリート又はモルタルを注入して仮固定され、前記支持部材を取外したあと、前記水路構成部材の上部までコンクリート又はモルタルを注入して本固定されることを特徴とする管路内における水路構成工法。
【請求項７】
地中に埋設された管路内に新規の水路を構成する工法であって、
上方に開口し長手方向に沿って汚水等が流れうる樋状のインバート部を形成した水路構成部材間に、垂直高さを調整したスペーサを挟んで固定して連結する工程と、連結された前記スペーサを前記管路の底面に対接させて前記水路構成部材を前記管路に固定する工程とを備えることを特徴とする管路内における水路構成工法。
【請求項８】
地中に埋設された管路内に新規の水路を構成する工法であって、
マンホール内に、上方に開口し長手方向に沿って汚水等が流れうる樋状のインバート部を形成した水路構成部材と、垂直高さを調整できるスペーサとを搬入する工程と、
マンホール内で前記水路構成部材を前記スペーサを挟んで固定して連結し、前記スペーサで垂直高さを調整しながら順次前記管路内に挿入する工程と、
前記スペーサを前記管路の底面に対接させて前記水路構成部材を前記管路に固定する工程とを備えることを特徴とする管路内における水路構成工法。
【請求項９】
地中に埋設された管路内に新規の水路を構成する工法であって、
上方に開口し長手方向に沿って汚水等が流れうる樋状のインバート部を形成した水路構成部材に、垂直高さを調整したスペーサを固定して連結する工程と、連結された前記スペーサを前記管路の底面に対接させて前記水路構成部材を前記管路に固定する工程とを備え、
前記水路構成部材にスペーサを固定して連結する工程は、前記管路内にガイド手段を通して張設し、該ガイド手段に前記水路構成部材を宙吊りにして行い、そのあと前記水路構成部材を前記管路に固定することを特徴とする管路内における水路構成工法。
【請求項１０】
地中に埋設された管路内に新規の水路を構成する工法であって、
上流側マンホールと下流側マンホールとの間に、その端部が上流側マンホール及び下流側マンホールとで支持されたガイド手段を張設し、一方のマンホール内に、上方に開口し長手方向に沿って汚水等が流れうる樋状のインバート部を形成した水路構成部材を順次搬入し、前記水路構成部材を前記ガイド手段に沿わせて該水路構成部材を宙吊り状態で順次連結しながら前記管路内に挿入し、前記水路構成部材を前記管路に固定してから前記ガイド手段を取り外すことを特徴とする管路内における水路構成工法。
【請求項１１】
前記水路構成部材を前記管路に固定する工程の前工程として、
勾配を付けた、または連結された前記水路構成部材に供用中の汚水を流す水替えの工程を備えることを特徴とする請求項２，６〜１０のいずれかに記載の管路内における水路構成工法。
【請求項１２】
地中に埋設された管路内に新規の水路を構成する水路構成部材であって、
汚水等が流れる水路を構成するインバート部の長手方向の両端部に外側に向けて直角に延出する接合フランジ部を有し、前記インバート部の上方の開口端部より僅かに下方に、外側に向けて延出する支持フランジ部が開口端部に沿って連続的に、前記接合フランジ部に達するように形成され、前記開口端部及び前記支持フランジ部を補強することを特徴とする水路構成部材。
【請求項１３】
地中に埋設された管路内に新規の水路を構成する水路構成部材であって、
上方に開口し長手方向に沿って汚水等が流れる樋状のインバート部を形成し、
該インバート部の長手方向の両端部に外側に向けて直角に延出する接合フランジ部を有し、
前記インバート部の上端から外側に向けて上昇して連続する傾斜部を形成し、
該傾斜部の下面または前記接合フランジ部に前記水路構成部材を支持する管路内に張設されたガイド手段に支持させるためのガイド部を形成することを特徴とする水路構成部材。
【請求項１４】
地中に埋設された管路内に新規の水路を構成する水路構成部材であって、
上方に開口し長手方向に沿って汚水等が流れる樋状のインバート部を形成し、
該インバート部の長手方向の両端部に外側に向けて直角に延出する接合フランジ部を有し、
前記インバート部の上端から外側に向けて上昇して連続する傾斜部を形成し、
該傾斜部の下面または前記接合フランジ部に前記水路構成部材を支持するガイド手段に支持させるためのガイド部を形成し、
前記水路構成部材は、前記傾斜部の端部に連続する可撓性を有する補助傾斜板部を、さらに備えることを特徴とする水路構成部材。
【発明の詳細な説明】
【０００１】
【発明の属する技術分野】
本発明は、新設の下水管や老朽化した既設の下水管等の管路内における水路の構成工法に係り、特に、少流量時の汚水等の円滑な流下を確保するため、又は老朽化により所定の勾配がとれず、場合によっては逆勾配となった管路内に、所定の勾配を有する新規の水路を低コストで効率よく形成することができる水路構成工法に関する。さらに、管径が小さく人が入ることができない管路に新設水路を効率よく構成することができる水路構成部材と、これを用いる水路構成工法に関する。
【０００２】
【従来の技術】
従来、この種の水路構成工法としては、特許第２７０４９７６号公報に記載された水路構成工法がある。この工法は、管路内底面に管路方向に下地コンクリートを打設する工程、樋状体の軸に沿った開口端面及び軸方向端面にそれぞれ半径方向へ延出する突縁が一体的に形成され、軸方向端面の突縁には締結部材用挿通孔が設けられ、樋状体の両側部にアンカー部材取付部を設けた水路構成部材を下地コンクリート上に配列して相互を締結部材を介して連結する工程、水路構成部材のアンカー部材取付部にアンカー部材を取付けて管路に固定する工程、水路構成部材と管路内面との間にセメントモルタルを打設する工程とからなるものである。
【０００３】
また、前記の工法における下地コンクリートの打設を省略し、管路内に水路構成部材を配列し相互に連結し、水路構成部材と管路内面との間にスペーサを挿入して水路構成部材の勾配及び姿勢を調整し、管路内に水路構成部材を固定するものである。そして、管路内への設置及び接続が容易な樋状の水路構成部材を提供し、施工も容易に行えモルタル打設後も界面剥離の生じることのない水路工法を提供するものである。
【０００４】
【発明が解決しようとする課題】
ところで、前記構造の水路構成工法は、管路が既設管路で供用中であって、下水道管に汚水等が流れている場合、この汚水等を堰き止め、新規の水路を構成する区間に沿って水替え用の配管を設置し、汚水等を新たに設置した水替え配管に流してから新規の水路を構成する必要があった。このため、区間ごとに水替え配管を設置する工程が必要となり、工程が増えるため作業が煩雑となり、工期が長くなると共に、コストが上昇するという問題点があった。
【０００５】
また、水路構成部材の多数のアンカー部材取付部に多数のアンカー部材を取付けて管路に水路構成部材を固定し、また所望の勾配にするためスペーサを使用して既成管路と水路構成部材との間隔を設定している。そして、アンカー部材やスペーサは、モルタル打設後は全てモルタル内に埋もれてしまうため、これらの部材を再度使用することができず、水路構成のたびに多数の部材が必要となっていた。さらに、下地コンクリートを打設するための管内の水抜き工程や、下地コンクリートを打設する工程が必要であり、工程が多いため多大な工期を必要としており、水路構成のコストが増大する問題点があった。
【０００６】
そして、前記構造の水路構成工法は、水路構成部材のアンカー部材取付部にアンカー部材を取付けて管路に固定するため、管路内に人が入って作業することが必要であった。このため、人が入れない管径の小さい管路では新規の水路構成ができないという問題点があった。
【０００７】
本発明は、このような問題に鑑みてなされたものであって、その目的とするところは、水替え配管を設置する工程が不要であり、勾配を付けた水路構成部材を利用することにより、供用中の下水道管に流れる汚水等の水替えが別途に水替え配管等を設置することなく行えるため、コストを大幅に削減できると共に、工程を大幅に短縮できる水路構成工法を提供するものである。
【０００８】
また、下地コンクリートを打設する工程が不要であり、工期を短縮することができ、水路構成部材の支持が容易に行えると共に、支持部材を何度でも使用することができるため、水路構成費用を低減できる管路内における水路構成工法を提供することにある。さらに、水路の勾配を支持部材により精度よく調整でき、新規の水路を汚水等が安定して流れる管路内における水路構成工法を提供することにある。そして、人が入れないような管径の小さい管路でも任意の勾配を付けて水路構成が行え、管路内の底面に新規の水路を構成することができ、しかも工程が簡単で水路形成が容易に行える水路構成部材と、この水路構成部材を用いた水路構成工法を提供することにある。
【０００９】
【課題を解決するための手段】
前記目的を達成すべく、本発明に係る管路内における水路構成工法は、地中に埋設された管路内に新規の水路を構成する工法であって、管路内に、上方に開口し長手方向に沿って汚水等が流れうる樋状のインバート部を形成した水路構成部材を連結する工程と、連結された水路構成部材に所望の勾配を付ける工程と、勾配を付けた既に補修の済んだ上流側の水路に間隔を開けて新規の水路を構成し、該間隔に水路構成部材を挿入して上流側の水路と新規の水路とを連結し、該上流側の水路と新規の水路からなる水路を介して汚水を流す水替えの工程と、水路構成部材を管路に固定する工程とを備える。
【００１０】
水路構成部材は半割管や、インバート部の上部を補強したもの、インバート部の上端に傾斜部を有するもの、傾斜部の端部に補助傾斜部を連続したもの等、適宜のものを使用できる。これらの水路構成部材を管路に挿入する場合、管路内壁面に固定された支持部材でレール状の支持体を支持し、この支持体に沿わせて挿入することができ、また管路に沿ってガイドワイヤを張設し、このガイドワイヤに沿わせて挿入してもよい。
【００１１】
この構成によれば、インバート部を形成した水路構成部材を連結して管路内に挿入して勾配を付け、連結して勾配が付けられた水路構成部材を管路に固定するため、工程を大幅に簡略化でき、工事期間の大幅な短縮と、コストの大幅な低減が可能となる。また、勾配の付けられた水路構成部材に供用中の汚水等を流す工程を備えているため、別個の水替え用の配管を必要とせず、施工作業を容易にすることができる。
【００１２】
また、本発明に係る他の水路構成工法は、地中に埋設された管路内に新規の水路を構成する工法であって、管路内に、上方に開口し長手方向に沿って汚水等が流れうる樋状のインバート部と該インバート部外方に延出する支持フランジ部とを形成した水路構成部材を前記支持部材により前記支持フランジ部で宙吊りに支持する工程と、支持部材により支持された水路構成部材の鉛直方向の位置を調整して水路構成部材に勾配を付ける工程と、水路構成部材を勾配を付けた状態で管路内に固定する工程と、支持部材を取外す工程とを備えることを特徴とする。水路構成部材は、断面が半円形のもの、角樋状のもの、略Ｕ字状のもの、略Ｖ字状のもの等、上方に開口する適宜の樋状のものを採用できる。
【００１３】
この構成によれば、宙吊りにされた水路構成部材に、支持部材を調整して勾配を付け、このあと勾配を付けた状態でコンクリート又はモルタル等で固定し、水路構成部材を支持していた支持部材を取り外すため、工程を簡略化することができ、支持部材は再度使用することができる。このため、水路構成のコストを大幅に低減することができる。
【００１４】
新規の水路を構成する管路が既設管路である場合、水路構成部材を勾配を付けた状態で管路に固定する工程の前工程として、水路構成部材に汚水等を流す水替えの工程を備えることが好ましい。この構成によれば、勾配を付けて宙吊りにした水路に供用中の汚水等を流すことができるため、多大な費用が発生する水替え作業が容易に行え、水替え用の別途の配管等は不要となる。
【００１５】
また、本発明に係る管路内における水路構成工法の好ましい具体的な態様としては、支持部材は、管路に略水平状態に固定される水平部材と、水平部材より垂下される垂直部材とを備え管路の長手方向に沿って所定間隔で設置され、垂直部材は可動部を設けた吊下げ軸で構成され、この吊下げ軸を移動させて水路構成部材の鉛直方向の位置を調整することを特徴としている。可動部としては外周にねじ部を形成した吊下げ軸が好適である。この構成によれば、水路構成部材を支持する支持部材を水平部材と垂直部材で構成し、外周にねじ部等の可動部を設けた垂直部材で水路構成部材の鉛直方向の位置を調整できるため、水路の勾配を連続的に精度よく設定することができる。
【００１６】
さらに、本発明に係る管路内における水路構成工法の好ましい具体的な他の態様としては、水路構成部材は、支持部材により管路に沿って宙吊りに支持された支持体に固定されて支持されることを特徴としており、支持体としては管路方向に連続した部材が好ましい。この構成によれば、支持部材により予め管路に沿って宙吊りに支持された、例えば２本のレール状の支持体に水路構成部材は固定されるため、水路構成部材の支持が容易に行え、勾配も連続的に精度よく設定できる。また、この支持体を利用して、管路への水路構成部材の搬入を容易に行うことができる。
【００１７】
本発明に係る管路内における水路構成工法の他の態様としては、地中に埋設された管路内に新規の水路を構成する工法であって、管路内に、上方に開口し長手方向に沿って汚水等が流れうる樋状のインバート部を形成した水路構成部材を支持部材により支持された状態で連結する工程と、連結された水路構成部材に所望の勾配を付ける工程と、水路構成部材を勾配を付けた状態で管路に固定する工程とを備え、水路構成部材は、管路と水路構成部材との間に水路構成部材の移動を阻止できる程度の高さまでコンクリート又はモルタルを注入して仮固定され、支持部材を取り外したあと、水路構成部材の上部までコンクリート又はモルタルを注入して本固定されることを特徴としている。水路構成部材の移動を阻止できる程度の高さとは、支持部材を外したとき、水路構成部材が移動せず所望の勾配が保てる水路構成部材の全高の半分程度の高さで仮固定される高さであり、次にコンクリート又はモルタルを注入するとき、水路構成部材が移動しない状態とする。これにより、支持部材を外した水路構成部材の上端部までコンクリート等を傾斜状態に打設でき、水路構成部材の周囲部分から中心のインバート部の水路に水を安定して誘導できる。
【００１８】
本発明に係る水路構成部材は、地中に埋設された管路内に新規の水路を構成するものであって、汚水等が流れる水路を構成するインバート部の長手方向の両端部に外側に向けて直角に延出する接合フランジ部を有し、前記インバート部の上方の開口端部より僅かに下方に、外側に向けて延出する支持フランジ部が開口端部に沿って連続的に、接合フランジ部に達するように形成され、開口端部及び支持フランジ部を補強することを特徴とする。補強としては、開口端部と支持フランジ部を連結する断面が略Ｌ字状の金属製のアングル材を補強材として内蔵することが好ましい。
【００１９】
この構成によれば、開口端部及び支持フランジ部を補強されているため、例えば人が踏みつけた場合でも水路構成部材は破損することが少なく、コンクリート等で固定したあと、水路構成部材とコンクリート等との隙間に汚水が浸入して水路構成部材に浮力が作用しても変形することがない。また、開口端部の上端から僅かに下方に支持フランジ部が延出し、上端と支持フランジ部と間に所定の距離が取れるため、この距離に相当するコンクリート等の厚さを確保でき、ひび割れを防止することができる。この水路構成部材は、前記した水路構成工法に限らず、従来からの水路構成する工法にも適用できるものである。
【００２０】
本発明に係る管路内における水路構成工法の他の態様は、地中に埋設された管路内に新規の水路を構成する工法であって、上方に開口し長手方向に沿って汚水等が流れうる樋状のインバート部を形成した水路構成部材に、垂直高さを調整したスペーサを固定して連結する工程と、連結された水路構成部材を管路の底面に対接させて固定する工程とを備えることを特徴とする。前記水路構成部材にスペーサを固定して連結する工程は、管路内にガイドワイヤ等のガイド手段を通して張設し、このガイド手段に水路構成部材を宙吊りにして行い、そのあと水路構成部材を管路に固定することが好ましい。管路は少なくとも２つのマンホール間を互いに連通するものが好ましく、マンホールから多数の水路構成部材を搬入して管路内に挿入して連結し、水路を構成する。
【００２１】
このように構成された本発明の管路内における水路構成工法は、管路内において水路構成部材にスペーサを固定して連結し、スペーサの垂直高さを調整して所望の勾配を付けるため、管路内に水路構成部材を連結して容易に勾配をつけて固定することができる。また、前記の水路構成部材にスペーサを固定して連結する工程において、管路内にガイドワイヤ等のガイド手段を通して張設し、ガイドワイヤに沿わせて水路構成部材を宙吊りにして順次連結し、水路構成部材を管路に固定してガイドワイヤを取外すと、人が入れないような小さい管径の管路であっても、新規の水路を構成することができる。しかも、工程が簡略であるため、短い工期で、低コストで施工することができる。なお、この水路構成工法は、人が入れるような管径の大きい管路にも適用できることは勿論である。
【００２２】
前記の水路構成工法の他の態様としては、地中に埋設された管路内に新規の水路を構成する工法であって、マンホール内に、上方に開口し長手方向に沿って汚水等が流れうる樋状のインバート部を形成した水路構成部材と、垂直高さを調整できるスペーサとを搬入する工程と、マンホール内で前記スペーサを固定した前記水路構成部材を相互に連結し、前記スペーサで垂直高さを調整しながら順次前記管路内に挿入する工程と、スペーサを管路の底面に対接させて水路構成部材を管路に固定する工程とを備えることを特徴としている。
さらに他の態様としては、地中に埋設された管路内に新規の水路を構成する工法であって、上方に開口し長手方向に沿って汚水等が流れうる樋状のインバート部を形成した水路構成部材に、垂直高さを調整したスペーサを固定して連結する工程と、連結された前記スペーサを前記管路の底面に対接させて前記水路構成部材を前記管路に固定する工程とを備え、前記水路構成部材にスペーサを固定して連結する工程は、前記管路内にガイド手段を通して張設し、該ガイド手段に前記水路構成部材を宙吊りにして行い、そのあと前記水路構成部材を前記管路に固定することを特徴とする。
さらに他の態様としては、地中に埋設された管路内に新規の水路を構成する工法であって、上流側マンホールと下流側マンホールとの間に、その端部が上流側マンホール及び下流側マンホールとで支持されたガイド手段を張設し、一方のマンホール内に、上方に開口し長手方向に沿って汚水等が流れうる樋状のインバート部を形成した水路構成部材を順次搬入し、前記水路構成部材を前記ガイド手段に沿わせて該水路構成部材を宙吊り状態で順次連結しながら前記管路内に挿入し、前記水路構成部材を前記管路に固定してから前記ガイド手段を取り外すことを特徴としている。
【００２３】
水路構成部材の接合フランジ部にスペーサを挟んで固定し、スペーサの垂直高さを例えば徐々に短くなるように調整して管路底面に対接させると、水路構成部材に所望の勾配を付けることができる。水路構成部材の連結手段を少量のコンクリートで先ず固定し、次いで水路構成部材と管路との間にコンクリートを充填して固定すると、水路構成部材が移動することなく所定の位置に固定することができる。管路が既設で供用中の場合、勾配が付いて連結された水路構成部材に水替えできるため、水替え用の別個の管路が不要となり、コストを低減できる。
【００２４】
本発明に係る他の水路構成部材は、地中に埋設された管路内に新規の水路を構成する水路構成部材であって、上方に開口し長手方向に沿って汚水等が流れる樋状のインバート部を形成し、インバート部の長手方向の両端部に外側に向けて直角に延出する接合フランジ部を有し、インバート部の上端から外側に向けて上昇して連続する傾斜部を形成し、傾斜部の下面または接合フランジ部に水路構成部材を支持するガイド手段のためのガイド部を形成することを特徴とする。これにより、水路構成部材は軽量でねじれにくい形状とすることができる。インバート部は断面が半円形状のもの、角樋状のもの、略Ｕ字状のもの、略Ｖ字状のもの等、適宜の形状のものを採用できる。また、ガイド部は、例えばガイドワイヤ等のガイド手段が挿入されるガイド孔や、ガイド溝、スリット等で構成されることが好適である。
【００２５】
また、本発明に係る他の水路構成部材の好ましい具体的な態様としては、前記傾斜部の端部に連続する可撓性を有する補助傾斜板部を、さらに備えることを特徴としている。補助傾斜板部は、可撓性を有し自由に湾曲できるゴム板状のもの、あるいは任意に切断できる薄板状のものであり、傾斜部に接着等で連結されたり、傾斜部の端部に形成した溝部に嵌合して連結されたり、ビス等で固定されて連結されることが好ましい。
【００２６】
さらに、水路構成部材は傾斜部の下面に長手方向に沿ってガイド部を形成しているので、ねじれにくい形状となっており、管路内での施工が容易となる。また、ガイド部を形成することにより、剛性を高くすることができると共に見かけの比重を小さくでき、搬送や管路内への搬入が容易となり、軽量のため供用中の管路では汚水等に浮かせて管路内に挿入することができる。ガイド部を断面積の大きいガイド孔とし、水路構成部材を管路内に固定後、ガイド孔の上面を除去すると、水路の断面積を大きくできるため、管路内の断面欠損を最小とすることができる。
【００２７】
【発明の実施の形態】
以下、本発明に係る管路内における水路構成工法の一実施形態を図面に基づき詳細に説明する。先ず、管路内に新規の水路を構成するための水路構成部材について説明する。図１は、本実施形態に係る水路構成部材を示し、（ａ）は平面図、（ｂ）は一部を破断した正面図、（ｃ）は一部を破断した側面図、図２（ａ）は図１の要部拡大断面図、図２（ｂ），（ｃ）はそれぞれ補強材の他の例の断面図である。図１，２において、水路構成部材１は、基本的には円筒を軸方向に沿って半割にしたような形状をしており、例えば断面半円形のインバート部２の直径が５０ｃｍ程度で長さが２ｍ程度の樋形状をしている。水路構成部材１の長手方向の両端部には、外側に向けて直角に延出する接合フランジ部３，３が形成され、所定の間隔で複数の連結孔４が穿設されている。
【００２８】
水路構成部材１は樋形状で上方が開口しているが、図２（ａ）に示すように、上方の開口端部より僅かに下方に、好ましくは３０ｍｍ程度下方に長手方向に沿って水平方向に延出する支持フランジ部５，５が形成され、支持フランジ部５，５には所定の間隔で複数の支持孔６が穿設されると共に切欠き６ａが形成されている。水路構成部材１はガラス繊維等で補強した強化プラスチック（ＦＲＰ）で形成されており、上端部１ａ，１ａと支持フランジ部５，５とを連結するように、断面が略Ｌ字状の金属製のアングル材７が内蔵され開口端部側が補強されている。また、長手方向の途中の２個所には、インバート部２の外周に厚肉の補強部８が形成されている。
【００２９】
なお、水路構成部材は繊維強化プラスチックから形成されるものに限らず、金属板材を板金加工して形成したものや、金属鋳物で形成したもの、通常の合成樹脂から形成したもの等、適宜のものを採用することができる。また、図２（ｂ）に示すように、断面が略Ｔ字状の金属製の押出し材７Ａを内蔵し、垂直の上端部１ａと水平の支持フランジ部５とを連結するように補強してもよい。さらに、図２（ｃ）に示すように、金属メッシュ材７Ｂを上端部１ａと支持フランジ部５とに連続するようにインサートしてもよい。
【００３０】
前記した水路構成部材１を長手方向に所定数だけ連結して水路を構成することができる。すなわち、水路構成部材１，１の接合フランジ部３，３を対接して連結孔４をボルトナットあるいは長ボルトと２つのナット等の締結手段９（図４）で締結することにより長手方向に必要な長さだけ連結して、管路内に水路を構成することができる。このようにして形成した新規の水路は、勾配が変化した管路内に、任意の勾配を設定した水路を形成することができる。
【００３１】
つぎに、前記の水路構成部材１を管路内に宙吊り状態に支持する支持部材１０について、図３〜５を参照して説明する。図３は管路内の低い位置に固定された支持部材を示す断面図、図４は図３の一部を側面図としたＡ−Ａ線断面図、図５は管路内の高い位置に固定された支持部材を示す断面図である。支持部材１０は管路Ｐ内に水平状態に固定される水平部材として、断面が略コ字状のチャンネル材から形成される水平梁材１１と、この水平梁材から垂下される垂直部材として長ボルトから形成される２本の吊下げ軸１５，１５とを備えている。吊下げ軸１５，１５は水平梁材の中心から均等の距離に設けられ、外周には鉛直方向の可動部としてねじ部が形成されている。
【００３２】
水平梁材１１は水平方向の両端部にエンドプレート１１ａが溶接され、このエンドプレートに連結されたねじジャッキ１２により管路Ｐ内に略水平状態に固定される。すなわち、ねじジャッキ１２はベース板１２ａと、ベース板に垂設されたねじ軸１２ｂと、ねじ軸に螺合するクランプ１２ｃとを備え、エンドプレート１１ａの貫通孔にねじジャッキ１２のねじ軸１２ｂが挿入され、クランプ１２ｃがエンドプレート１１ａに当接する構成であり、クランプ１２ｃを回転させてベース板１２ａを管路Ｐの壁面に圧接させることにより、水平梁材１１は水平状態に固定される。なお、ベース板１２ａの四隅には、４本の調整ボルトがねじ込まれ、ベース板が壁面に４点で均等に当たるように構成している。
【００３３】
水平梁材１１と吊下げ軸１５との連結は、水平梁材の上下のフランジ部に設けた貫通孔に吊下げ軸１５を挿入し、ダブルナット１６，１７で固定する構成となっている。実際には、吊下げ軸１５の勾配に対応する上下移動範囲を大きくすると共に、吊下げ軸１５を安定して連結するため、水平梁材１１の上辺又は下辺に短尺の梁材１３を連結し、必要に応じて複数個連結して調整している。すなわち、図３に示すように管路Ｐの勾配の下方に対応する位置に水路構成部材１を固定するときは、水平梁材１１の下部に梁材１３を２個連結して水路構成部材１を下方に設置し、図５に示すように管路Ｐの勾配の上方の位置に対応する位置に水路構成部材１を支持するときは、水平梁材１１の上部に１つの梁材１３を連結して水路構成部材１を上方に設置する。また、図５のように、ねじジャッキのベース板１２ａと壁面との間に、例えば金属板材１４を介在させることにより、水平梁材１１をさらに上方に固定できる。
【００３４】
吊下げ軸１５，１５の下端に直接、水路構成部材１の支持フランジ部５を支持させるようにしてもよいが、本実施形態では吊下げ軸に管路の長手方向に沿う支持体２０を支持し、この支持体に水路構成部材１を固定するようにしている。すなわち、吊下げ軸１５，１５の下端に短尺のチャンネル材で形成した連結片１８を溶接等により固定し、この連結片に断面が略Ｃ字状のチャンネル材から構成した支持体２０をボルト締めし、支持体２０に水路構成部材１を蝶ねじ２１で固定するように構成している。支持体２０は、後述する図７に示すように、２ｍ程度の長さのチャンネル材２２を連結プレート２３で連結して構成される。
【００３５】
前記の如く構成された水路構成部材１、支持部材１０及び支持体２０を用いた本実施形態の管路内における水路構成工法について、図６〜８を参照して以下に説明する。図６は水路構成工法の各工程を示す管路の概略縦断面図、図７は水路構成部材を連結して勾配を付けて支持した状態の一部破断平面図、図８は図７の一部破断側面図である。管路Ｐは、本実施の形態では内径が１６５０の鉄筋コンクリート製のヒューム管が使用され、管路Ｐは汚水と雨水が流れる合流管である。管路Ｐは地中Ｇに埋設されてから長期間が経過して老朽化しており、不等沈下等により所定の勾配が得られていない状態となっており、雨水が流れる場合は汚水も同時に流れるが、汚水のみのときは流れにくく滞留しやすい状態で新規の水路が必要となっている。なお、管路は断面が円環の管路に限られず、断面が馬蹄形や矩形の管路でもよい。
【００３６】
前記した水路構成部材１を管路Ｐ内に設置して新規の水路を形成するときは、先ず１〜２ｍ程度の長さの各部材をマンホールから下水道管に搬入する。そして、図６（ａ）のように管路の軸方向に直角に、管路Ｐの内壁に略水平方向に突っ張って支持部材１０を支持固定させる。支持部材１０は管路Ｐに沿って例えば３ｍ間隔で設置する。すなわち、水平梁材１１を管路の上下中央部で略水平状態に位置させ、両端のねじジャッキ１２のクランプ１２ｃを調整してねじ軸１２ｂを延出し、ベース板１２ａを管路Ｐの壁面に圧接させる。壁面の凹凸が激しく、円柱面の状態が悪い場合は、ベース板１２ａの四隅の調整ボルトを出入させて壁面の凹凸に合わせることができる。このように、管路Ｐの壁面に孔を開けることなく水平梁材１１を壁面に固定することができ、管路Ｐを傷めることがない。
【００３７】
このように管路Ｐの壁面に固定された水平梁材１１に、図６（ｂ）のように吊下げ軸１５，１５をダブルナット１６，１７で連結する。管路内の高い位置に固定される水平梁材１１は、上部に短尺の梁材１３が位置するように、また勾配の下の位置に固定される水平梁材１１は短尺の梁材１３が下にくるように梁材１３をボルト締めする。なお、図６（ａ）に２点鎖線で示すように、水平梁材をねじジャッキ１２のねじ軸１２ｂを中心として回転させ、梁材１３を上下のどちらかに向けて固定してもよい。そして、水平梁材１１及び梁材１３のフランジ部分の貫通孔に吊下げ軸１５を貫通させ、上下端のフランジ部をダブルナット１６，１７で締めることにより吊下げ軸１５，１５を固定する。
【００３８】
吊下げ軸１５，１５と水路構成部材１との固定は、図６（ｃ）のように、長手方向に連結した支持体２０を介して行う。支持体２０はマンホールに挿入しやすい長さである２ｍ程度の長さの断面が略コ字状のチャンネル材２２を、複数個連結プレート２３を介してボルトナットで連結し、例えばマンホール間の距離に合わせている。支持体２０は水路構成部材１の開口端部に合わせて２本を平行に設置し、２本のレール状とする。そして、２本の支持体２０は、相互に一定の間隔を有するように幅止め用のアングル２４（図３参照）で連結されている。水路構成部材１は、支持フランジ部５がこれらの支持体２０に蝶ねじ２１（図３参照）で固定されて宙吊りに支持され、順次接合フランジ部３，３の連結孔４を締結手段９でボルト締めして連結する。管路Ｐが既設で汚水等が流下中であっても、水路構成部材１を宙吊りに支持することができる。このように、この工程では、管路Ｐ内に、上方に開口し長手方向に沿って汚水等が流れうる樋状のインバート部２を形成した水路構成部材１を連結している。
【００３９】
つぎに、このように宙吊りに支持された水路構成部材１に勾配を付ける工程に移る。この工程では、支持部材１０の垂直部材である吊下げ軸１５と水平梁材１１との固定位置を変えることにより吊下げ軸１５の鉛直方向の位置を調整する。この調整は吊下げ軸１５に螺合するダブルナット１６，１７を調整して行う。水平梁材１１と短尺の梁材１３とにより鉛直方向に離れた状態の２つのダブルナット１６，１７で吊下げ軸１５の調整を行うため調整が連続的に精度よく行え、固定後は調整状態が安定し水平梁材１１の長手方向に沿って吊下げ軸１５が移動するような横ぶれを防止することができる。
【００４０】
前記のように、管路Ｐ内に水路構成部材１を連結して所定の勾配を付けたあと、水替え（図示せず）を行う。水替えは、今まで流れていた汚水等を堰き止め、水路構成部材１で構成された新規の水路に流れを変えて、管路Ｐの底面の汚水を除去する。なお、水替えを行うときに、既に補修の済んだ上流側の水路構成部材を僅かに短尺のもの、例えば１．８５ｍ程度としておき、隣接する水路との間に１５ｃｍ程度の間隔を開けておき、この間隔部分に１５ｃｍ程度の短い別の水路構成部材を挿入して、既存の水路と新規の水路とを連結して水替えを行うようにすると、水替え作業が効率よく行える。また、水替えは水路構成部材１に勾配をつける前に行い、水替え後に勾配をつけるように工程を変更してもよい。そして、既設の管路の場合は水替えの工程が必要であるが、新規の管路や供用中でない管路の場合は、この水替えの工程は不要となる。
【００４１】
このようにして水替えが済んだあと、管路Ｐの所定の位置に水路構成部材をセットし直し、水路構成部材１の勾配を付けた状態を維持して、図６（ｄ）のように水路構成部材１をコンクリートＣ１で固定する。管路Ｐの底面に沿ってコンクリートを搬送チューブで圧送し、水路構成部材１と管路Ｐの底面との間をコンクリートＣ１で充填する。この充填高さは、水路構成部材１の垂直高さの半分程度の高さ、又は多少高低した高さで設定するが、少なくとも接合フランジ部３を連結する下方のボルト等の締結手段９が埋まる高さでなくてはならず、この状態で水路構成部材１を仮固定する。図示の例では、下方の４つのボルトがコンクリートＣ１で埋設され、水路構成部材１は移動することが阻止される。
【００４２】
このようにして、水路構成部材１を仮固定したあと、図６（ｅ）のように水路構成部材１を支持していた各種の部材を取り外す。すなわち、水路構成部材１と支持体２０とを固定している蝶ねじ２１を外すことにより、両者を容易に分離することができる。支持体２０との固定を解除しても、連結された水路構成部材１はコンクリートＣ１で管路Ｐに仮固定されているため、移動することはない。そして、支持体２０の連結プレート２３を外して元の２ｍ程度の長さのチャンネル材２２に分割する。さらに、水平梁材１１の両端のねじジャッキ１２を緩め支持部材１０を管路Ｐの壁面から取り外す。水平梁材１１と吊下げ軸１５とから構成される支持部材１０及び支持体２０は、分割して次の工程へ移動され、再度使用することができる。
【００４３】
このあと、すなわち、支持部材１０を取り外したあと、図６（ｆ）のように仮固定された水路構成部材１の上部までコンクリートＣ２を注入して固定する。前記の仮固定では、水路構成部材１は途中までコンクリートＣ１で固定されており、この上にさらに水路構成部材１の上端までコンクリートＣ２を注入し、コンクリートＣ２の上端面を中央のインバート部２に向かう傾斜面Ｃａとする。水路構成部材１の開口の上端部１ａはアングル材７で補強され、水平状の支持フランジ部５から上方に突条が突出しており、この突条の上端までコンクリートＣ２の傾斜面Ｃａが形成される。
【００４４】
コンクリートＣ２は水平状の支持フランジ部５を囲んで固着され、上端部１ａと支持フランジ部５は補強されているため、コンクリートＣ２と水路構成部材１との間の剥離が起こりにくく、傾斜面Ｃａからインバート部２で形成された水路への汚水等の誘導が安定して行える。また、コンクリートＣ２と水路構成部材１の上部は、支持フランジ部５より上の厚さで接合するため、コンクリートＣ２にひび割れが発生することを防止できる。さらに、コンクリートＣ１，Ｃ２と水路構成部材１とは、長ボルトと２つのナット等の締結手段９で結合されるため結合強度が大きく、両者の剥離や分離を防止することができる。
【００４５】
前記したように、老朽化して勾配が一定でない管路Ｐ内に、水路構成部材１を連結して任意の勾配の新規の水路をインバート部２により構成したので、汚水等は新規の水路内を安定して流れるため、汚水が滞留することがなくなり、臭気等が発生することを回避できる。特に、汚水と雨水が流れる合流管の場合、晴天で流量が少ない時でも汚水を円滑に流下させることができる。合流管の場合、晴天が続くと流量が少なくなり、汚水中の汚濁物質が堆積して臭気の発生原因となり、堆積した汚濁物質が雨天時に流出して公共水域を汚染するが、このような不具合を防止することができる。
【００４６】
また、周辺に雨が降り、雨水が管路内に流入すると、雨量が少ない場合はインバート部２の水路を流れるが、雨量が多くなるとインバート部２を流れると共に、その両側の傾斜面Ｃａを流れる。雨量が少なくなると、傾斜面Ｃａに沿って流れる汚水等はインバート部２に円滑に流れ、滞留することがないため管路から臭気が発生することはない。
【００４７】
前記の工程において、図６（ｃ）に示す水路構成部材１を支持体２０に固定する工程は、図９に示すようにしてもよい。図９において、水路構成部材１の両端部の上部に吊下げ部材２５を４個、蝶ねじ２１で別途固定する。吊下げ部材２５は断面が略コ字状のチャンネル材を１０ｃｍ程度の長さに切断し、下方のコーナー部を面取りして水路構成部材１の上端部１ａと支持フランジ部５のコーナーに対接するように構成している。
【００４８】
この吊下げ部材２５を用いることで、支持体２０の下方のフランジに吊下げ部材２５の上方のフランジを引掛けることができ、この状態で水路構成部材１を支持体２０に沿ってスライドさせて管路Ｐ内に搬入させることができる。このようにして、管路Ｐへの水路構成部材１の搬入はマンホールから容易に行うことができる。なお、吊下げ部材にコロ状の回転体を取付けて、搬入を軽い押圧力で行うようにしてもよい。また、管路Ｐに汚水Ｄ等が流れている状態でも、水路構成部材１の搬入は容易に行える。
【００４９】
管路Ｐが図１０の平面図に示すように湾曲している場合は、水路構成部材１を連結するときに、中間に図１１に示す曲がりコマ３０を挿入して湾曲状態に合わせるようにする。曲がりコマ３０は水路構成部材１と同一の断面形状をしており、水路構成部材１と連結する左右の接合フランジ部３１，３１が傾斜状態に連続しており、接合フランジ部間の距離が左右の壁面で異なっている。接合フランジ部３１には所定の間隔で複数の連結孔３２が穿設されている。この曲がりコマ３０を中間に挟んで水路構成部材１を連結することにより、湾曲した管路Ｐに合わせて新規の水路を構成することができる。
【００５０】
つぎに、本発明に係る他の水路構成部材、及びこの水路構成部材を用いる水路構成工法の他の実施形態を図面に基づき詳細に説明する。先ず、管路内に新規の水路を構成するための水路構成部材について説明する。図１２は、本実施形態に係る水路構成部材を示し、（ａ）は一部を破断した平面図、（ｂ）は（ａ）の一部を破断した正面図、図１３（ａ）は図１２の水路構成部材の側面図、（ｂ）は図１２のＡ−Ａ線断面図である。
【００５１】
図１２，１３において、水路構成部材４１は、円筒を軸方向に沿って半割にしたような形状の断面半円形のインバート部４２と、このインバート部の上端から外側に向けて上昇して連続する傾斜部４３，４３と、インバート部４２の長手方向の両端部に外側に向けて、また傾斜部の長手方向の両端部に下側に向けて、直角方向に延出する接合フランジ部４４，４４とを備えている。インバート部４２は直径が５０ｃｍ程度の半円部と、その上部の平行部４２ａとを備えており、長手方向の長さがマンホールから挿入できる２ｍ程度の樋形状をしており、汚水が流れると共に少量の雨水が流れる部分である。
【００５２】
インバート部４２の外周には、長手方向の２個所に厚肉の補強部４２ｂが形成されている。水路構成部材４１の両端部の接合フランジ部４４，４４には、所定の間隔で複数個の連結孔４５が穿設されている。傾斜部４３，４３の勾配は、外周部から中央部に向けて１５％程度の傾斜が好ましく、大雨の時はこの部分も汚水や雨水が流れる。水路構成部材４１は、マンホールから挿入できる程度の長さであれば１〜２ｍの適宜の長さでよい。なお、インバート部４２は断面が半円形状の丸樋状をしているが、角樋状、略Ｕ状、略Ｖ状等適宜の形状を用いてもよい。
【００５３】
水路構成部材４１はガラス繊維等で補強した強化プラスチック（ＦＲＰ）等で形成され、傾斜部４３，４３の下面にインバート部４２の長手方向に沿うガイド部として、例えば６個のガイド孔４６を形成してある。ガイド孔４６は各傾斜部４３の下方に３本ずつ並べて配置され、内径が２０〜５０ｍｍ程度のパイプ状物で形成され、両端の接合フランジ部４４，４４に開口している。従って、複数の水路構成部材４１を接合フランジ部４４，４４の連結孔４５にボルトナット等を通して連結すると、ガイド孔４６は相互に連通するように構成され、このガイド孔４６に例えばガイドワイヤを挿通してマンホールから管路内に水路構成部材４１を挿入することができる。本例では、外側の２つのガイド孔４６Ａは水平方向に形成したスリットにより側方に開口している。水路構成部材４１は、長手方向に沿ってガイド孔４６，４６Ａが形成されているため、ねじれにくい形状となっており、軽量に形成されている。
【００５４】
水路構成部材４１は前記のように接合フランジ部４４，４４を対接させて連結することができるが、図１４に示すようなスペーサ４７を挟んで、６本の長ボルト４８ａと１２個のナット４８ｂで構成される連結手段４８により連結することもできる。スペーサ４７は５〜１０ｍｍ程度の厚さの合成樹脂板材から形成され、接合フランジ部４４，４４と略同一形状の本体部から２本の脚部４７ａが突出形成されている。そして、２本の脚部には複数の折線４７ｂが形成され、この折線部分で切断することにより脚部の垂直高さを調整することができる。スペーサ４７の脚部は、下水管等の管路Ｐの底面に接触するため、連結された水路構成部材４１に所望の勾配を付けることができる。スペーサ４７は合成樹脂板材以外の金属板材等から形成するようにしてもよい。スペーサ４７にはガイド孔４６と同じ位置に６個の貫通孔４７ｃが形成され、連結孔４５と同じ位置に６個の小径の貫通孔４７ｄが形成されている。
【００５５】
なお、スペーサ４７と接合フランジ部４４，４４との対接面に、漏水を防止するパッキング（図示せず）を挿入して連結することが好ましい。また、管路Ｐと水路構成部材４１との間隔を保つスペーサ４７は、接合フランジ部４４，４４同士をパッキングを介して対接させ、一方の接合フランジ部４４の対接面と反対側の面に連結手段４８により共締めして固定してもよい。
【００５６】
つぎに、前記の水路構成部材４１を地中Ｇに埋設された下水道管等の管路Ｐ内に挿入するガイド手段としてガイドワイヤＷを支持するワイヤ支持部材５０について、図１５を参照して説明する。ワイヤ支持部材５０は管路Ｐ内に水平状態に固定される断面が略コ字状のチャンネル材から形成される水平梁材５１ａと、この水平梁材の中央部から上方に向けて溶接等により固定された垂直部材５１ｂから構成された略逆Ｔ字状をしたフレーム材５１を備えている。
【００５７】
フレーム材５１は水平梁材５１ａの両端部、及び垂直部材５１ｂの上端部にエンドプレート５１ｃが溶接され、このエンドプレートに連結された３個のねじジャッキ５２により管路Ｐ内に固定される。すなわち、ねじジャッキ５２はベース板５２ａと、ベース板に垂設されたねじ軸５２ｂと、ねじ軸に螺合するクランプ５２ｃとを備え、エンドプレート５１ｃの貫通孔にねじジャッキ５２のねじ軸５２ｂが挿入され、クランプ５２ｃがエンドプレート５１ｃに当接する構成であり、クランプ５２ｃを回転させてベース板５２ａを管路Ｐの壁面に圧接させることにより、フレーム材５１は管路壁面に固定される。なお、ベース板５２ａの四隅には、４本の調整ボルトがねじ込まれ、ベース板５２ａが壁面に４点で均等に当接するように構成している。
【００５８】
そして、この水平梁材５１ａから垂下される垂直部材として長ボルトから形成される２本の吊下げ軸５３，５３とを備えている。吊下げ軸５３，５３は水平梁材５１ａの中心から均等の距離に設けられ、外周には鉛直方向の可動部としてねじ部が形成されている。吊下げ軸５３，５３の下端には、ガイドワイヤＷを支持する支持梁材５４が水平状態に連結されている。吊下げ軸５３，５３を調整することにより、支持梁材５４の上下位置を調整できる。支持梁材５４の両端部にはガイドワイヤＷの端部が固定されている。ガイドワイヤＷは図示していないフック等で支持梁材５４に連結され、チェーンブロックやターンバックル等の張力付与手段（図示せず）により略水平状態に張設される。
【００５９】
前記の如く構成された本実施形態の水路構成部材４１をマンホールＨ１，Ｈ２から管路Ｐに挿入し、連結して管路Ｐ内に水路を形成する工法について、図１６〜１８を参照して以下に説明する。
【００６０】
先ず、図１６（ａ）に示すように、２つのマンホールＨ１，Ｈ２間を互いに連通するように地中Ｇに埋設された管路Ｐ内に、複数の水路構成部材４１を挿入するときのガイドとなるガイドワイヤＷを通すためのワイヤ支持部材５０，５０をマンホールＨ１，Ｈ２から管路Ｐ内にそれぞれ固定する。すなわち、図１５に示すように、フレーム材５１の左右の端部と上方の端部のねじジャッキ５２を操作してねじ軸５２ｂを外方に繰り出すことにより、ねじ軸が管路Ｐの壁面に当接して固定される。フレーム材５１からはガイドワイヤＷを支持する支持梁材５４が吊下げ軸５３，５３により上下動可能に支持されており、吊下げ軸を調整することにより支持梁材５４の上下位置及び水平状態を調整する。
【００６１】
つぎに、固定されたワイヤ支持部材５０，５０にガイドワイヤＷを張設する工程に移る。管路Ｐ内に固定されたワイヤ支持部材５０，５０の支持梁材５４間に２本のガイドワイヤＷ，Ｗを通して、チェーンブロックやターンバックル等の張力付与手段（図示せず）を使用してガイドワイヤＷ，Ｗに張力を与える。ガイドワイヤＷとして例えばワイヤを撚り合わせた金属製のワイヤロープを使用する場合は、直径が１０〜２０ｍｍ程度のステンレス鋼のワイヤロープや鉄棒等を使用することができ、他にナイロンロープや麻ロープ等、適宜の直径のロープ等を使用してもよい。ワイヤ支持部材５０は、管路Ｐの内壁に逆Ｔ字状のフレーム材５１が３点で支持されるため、ガイドワイヤＷ，Ｗに張力を付与してもフレーム材５１が旋回や移動することなく、ガイドワイヤＷ，Ｗを強固に支持することができる。
【００６２】
前記のようにしてガイドワイヤＷ，Ｗを張設した後、図１６（ｂ）に示すように、ガイドワイヤＷ，Ｗに沿わせて水路構成部材４１を管路Ｐ内に挿入する工程に移る。この例では、一方側のマンホールＨ１から水路構成部材４１を搬入し、側方に開口するスリットを形成したガイド孔４６Ａ，４６Ａを使用し、ガイドワイヤＷ，Ｗをスリットに通してガイド孔４６Ａ，４６Ａに挿入し、１番目の水路構成部材４１を宙吊りの状態とする。
【００６３】
１番目の水路構成部材４１を管路Ｐ内に押し込み、２番目の水路構成部材４１を同様にしてガイドワイヤＷ，Ｗに支持させ、２番目の水路構成部材と１番目の水路構成部材とを接合フランジ部４４，４４で連結する。この連結は、接合フランジ部４４，４４間にスペーサ４７を挟んでボルトナット等の連結手段４８で連結する。連結手段４８としては、図１４示のように１本の長ボルト４８ａに対して、２個のナット４８ｂを螺合させることが好ましいが通常のボルトナットでもよい。水路構成部材４１を管路Ｐ内に挿入するとき、スペーサ４７が管路Ｐの底面に接触しないようにガイドワイヤＷ，Ｗの位置を高めに設定すると、挿入が容易となる。なお、ガイド孔４６ＡからガイドワイヤＷが脱落するのを防止するため、スリットに楔を打ち込むことや、スリットの開口を塞ぐようにピンを差し込むと好適である。
【００６４】
水路構成部材４１を管路Ｐ内に挿入する工程として、図１７（ａ）に示すように、下流側のマンホールＨ２に仕切り材Ｓ１を固定して汚水Ｄ１を堰き止め、この汚水Ｄ１に水路構成部材４１を浮かせて管路Ｐ内に挿入するようにしてもよい。水路構成部材４１はＦＲＰ等の樹脂で形成され、見かけの比重が小さく汚水に浮くため、管路Ｐ内への挿入が容易に行える。
【００６５】
このようにして、複数の水路構成部材４１…を順次連結して管路Ｐ内に挿入し、他方側のマンホールＨ２に到達するまで繰り返す。水路構成部材４１は軽量で、ねじれにくい形状であるため、管路Ｐ内への挿入が容易に行える。管路Ｐが供用中の既設管路の場合は、１番目の水路構成部材の先端には高さ調整のスペーサと共に先端キャップ（図示せず）を取付けて水路構成部材４１のインバート部４２に汚水が入り込むのを防止すると作業が容易となる。
【００６６】
なお、スリットを形成していないガイド孔４６，４６を用いるときは、ガイドワイヤＷ，Ｗの一端を外して１番目の水路構成部材４１のガイド孔４６，４６に通し、２番目の水路構成部材４１のガイド孔４６，４６にガイドワイヤＷ，Ｗを通して水路構成部材４１の接合フランジ部４４，４４間にスペーサ４７を挟んでボルトナット等の連結手段４８で同様に連結し、先端側の水路構成部材から順次管路Ｐ内に挿入してゆく。
【００６７】
スペーサ４７は連結された水路構成部材４１が所定の勾配となるように脚部４７ａの高さを調整して２つの接合フランジ部４４，４４の間に挟まれる。既設の管路Ｐが不等沈下により勾配が一定でない場合は、予め計測した管路の凹凸に合わせてスペーサ４７の脚部４７ａの高さを折線４７ｂにより切断して垂直高さを設定しておくと、全ての水路構成部材４１が管路Ｐに挿入されたときに所定の勾配となり好ましい。このように、スペーサ４７の脚部４７ａの高さを調整するだけで、連結された水路構成部材４１に所定の勾配を、極めて容易に付けることができる。なお、この折線４７ｂは、円弧に限らず直線でもよい。
【００６８】
このようにして、水路構成部材４１を順次ガイドワイヤＷ，Ｗに通して連結し、ガイドワイヤＷ，Ｗにガイド孔４６Ａ，４６Ａを沿わせて管路Ｐ内に挿入していく。図１７（ｂ）、図１８（ａ）は管路Ｐ内に、所定の個数の水路構成部材４１が、所望の勾配が付けられて挿入された状態を示している。水路構成部材４１…は、管路Ｐ内に挿入されるとき、ガイドワイヤＷ，Ｗにガイドされて保持されているため、作業中に大雨等で雨水の流量が急激に増量し、作業を中断しても水路構成部材４１が流されることはない。水路構成部材４１…に所望の勾配を付ける脚部４７ａの垂直高さの調整は、折線４７ｂを折ることに限らず、グラインダ等で研削して所定の高さとするようにしてもよい。また、脚部の下端にアジャスト用のねじを組み込み、調整してもよい。
【００６９】
このあと、図１７（ｂ）に示す水替えの工程に移る。上流側のマンホールＨ１の底面に仕切り板Ｓ２を固定して流下中の汚水を堰き止め、汚水Ｄ２が溜められる。図１７（ａ）の工程の場合は、下流側のマンホールＨ２の仕切り板Ｓ１を外すと、堰き止められた汚水Ｄ１は管路Ｐに沿って下流側に排水され、スペーサ４７は管路Ｐの底面と接触して連結された水路構成部材４１は所定の勾配となる。
【００７０】
仕切り板Ｓ２により溜められた汚水Ｄ２内にポンプ５８を設置し、ポンプから排水管５８ａを連結し勾配が付けられた水路構成部材４１…の上部に位置させる。ポンプ５８を作動させると汚水Ｄ２は吸い上げられ、排水管５８ａから水路構成部材４１…上に排出され、勾配により下流側（図の右側）に流れる。このように連結された水路構成部材４１…を使用して水替えをするので、別の水替え用の配管を設置する必要がなく、工程を大幅に簡略化できると共に、工期を大幅に短縮できる。
【００７１】
この水替えの工程により、汚水等は連結された水路構成部材４１…のインバート部４２を流れるため、管路Ｐの底面は汚水等が流れなくなり、この底面を清掃することも可能となり、次のコンクリート又はモルタルによる水路構成部材４１…の固定が容易となる。なお、新規の管路に水路を構成する場合は、水替えの工程は実施しない。
【００７２】
つぎに、管路Ｐ内に挿入して勾配を付けた複数の水路構成部材４１…を管路Ｐの底面にコンクリートＣ１又はモルタルで固定する工程に移る。管路Ｐの一方のマンホールＨ１側からコンクリートの圧送管をマンホールＨ２側まで挿入し、コンクリートＣ１を注入しながら圧送管を徐々に引き抜くと、コンクリートＣ１は清掃した管路Ｐの底面と水路構成部材４１…との間に注入される。コンクリートＣ１を一度に多量に注入すると、連結された水路構成部材４１…がコンクリートＣ１の勢いで移動してしまうので、接合フランジ部４４，４４の連結手段４８を埋設固定する程度の少量とする。これにより、注入時の勢いで水路構成部材４１…の移動や浮き上がりは防止され、水路構成部材４１…は図１８（ｂ）に示すように、所望の勾配が付いた状態で管路Ｐの底面に少量のコンクリートＣ１で固定される。
【００７３】
なお、コンクリートＣ１を注入するとき、ガイド孔の１つを内径が５０ｍｍ以上で下方にスリットが開口する孔（図示せず）として形成し、この孔に外径が５０ｍｍ未満のコンクリート圧送管を挿入し、コンクリートを流しながら圧送管を引き抜くと、注入されたコンクリートはスリットから下方に流れ出し、水路構成部材４１…と管路底面との間に確実に注入され、水路構成部材４１…が圧送管の移動で変位することを防止できる。
【００７４】
コンクリートＣ１の注入後、所定時間経過して固定された水路構成部材４１…を支持しているガイドワイヤＷ，Ｗを取外す工程に移る。前記の工程で連結固定された水路構成部材４１…は、コンクリートＣ１により接合フランジ部４４，４４の連結手段４８が固定されているため、ガイドワイヤＷ，Ｗを取外しても水路構成部材４１…は所定の位置から移動することはない。ガイドワイヤＷ，Ｗやワイヤ支持部材５０は取り外し後、次の工程で再度使用することができる。
【００７５】
この状態でコンクリート又はモルタルを再度注入し、図１８（ｃ）に示すように、水路構成部材４１の傾斜部４３，４３の下方の空間をコンクリートＣ２で充填して固定する。この工程により水路構成部材４１…は管路Ｐに確実に固定される。そして、水路構成部材４１…の傾斜部４３，４３と管路壁面との間は、コンクリートＣ２で充填され、コンクリートＣ２の上面は平坦になり、管路Ｐ内にインバート部４２に相当する新規の水路が所望の勾配をもって形成される。
【００７６】
このようにして、例えば老朽化して勾配が変化してしまった状態の既設の管路Ｐ内に、新規の水路を構成することができ、汚水はインバート部４２で形成される新規の水路部分を漏水も無く、また窪みによって滞留することも無く所定の勾配によって流下し、流量が増したときにはインバート部４２で形成される水路部分と傾斜部４３，４３とを使用して流下することができる。さらに、滞留による臭気の発生も防止することができる。
【００７７】
このように老朽化した管路Ｐに新規の水路を構成することにより管路Ｐは補強され、さらに長期間使用することができる。そして、汚水等が安定して排水できるため、オイルボール等が発生することを回避でき、公共水域の保全が達成される。また管路Ｐ内に水路構成部材４１…を連結して新規の水路を構成したとき、ガイド孔４６は水路に沿って連通しているため、この孔を利用して光ファイバーや、他のケーブル等を挿通することができる。
【００７８】
なお、コンクリートＣ１を注入して所定時間経過して水路構成部材４１…が固定されたあと、ガイドワイヤＷ，Ｗを取外す前にコンクリートＣ２を充填して固定を行い、そのあとにガイドワイヤＷ，Ｗを外すように工程を前後させてもよい。また、前記の工程では、マンホールＨ１，Ｈ２間の区間の水路構成について述べたが、同様の工程により次の隣接する区間の水路構成を行い、所定の区間の水路構成を順次行って老朽化した管路Ｐ内に新規の水路を構成するものである。最初の区間に連結された水路構成部材４１…と、次の区間に連結された水路構成部材４１…とは別の水路構成部材で連結するか、或いはマンホールに相当する部分にコンクリートやモルタルでインバート部を形成して連結する。
【００７９】
さらに、前記の工程では、水路構成部材４１を管路Ｐ内に挿入する際のガイドとなるガイドワイヤＷを張設するワイヤ支持部材５０を用いる例を示したが、このような部材を使用せずに、図１９に示すようにガイドワイヤＷ，Ｗを張設するようにしてもよい。すなわち、図１９において、マンホールＨ１，Ｈ２の上部に架台Ｋ１，Ｋ２を設置し、一方の架台Ｋ１はガイドワイヤを巻き取るウィンチ５５が固定され、両方の架台はマンホール内に挿入する２本の垂直軸５６を支持している。垂直軸５６は下端に滑車５７やプーリが固定されている。なお、この例で、マンホールＨ１，Ｈ２の間に別のマンホールＨ３がある場合は、中間のマンホールＨ３を通過してガイドワイヤＷを張設することができる。
【００８０】
この例で、ガイドワイヤＷを張設する場合は、一方の架台Ｋ１のウィンチ５５を巻き戻してガイドワイヤＷを伸ばし、マンホールＨ１を下降させ滑車５７，５７を用いて管路Ｐを経由してマンホールＨ２を上昇させ、ガイドワイヤＷの一端を架台Ｋ２に固定する。そして、ウィンチ５５を巻き取るとガイドワイヤＷに所定の張力が付与され、管路Ｐ内に張設される。
【００８１】
なお、複数のマンホールが比較的接近して埋設されている場合は、複数のマンホールを連続するように、水路を構成することができる。例えば３つ或いは４つのマンホール間を連続して水路を構成する場合、両端の２つのマンホールからガイドワイヤを挿入し、中間のマンホールを通過するようにガイドワイヤＷを張設し、ガイドワイヤＷに沿わせて３つ或いは４つのマンホール間を連続する管路Ｐ内に水路構成部材４１…を挿入することができる。
【００８２】
また、コンクリートＣ１を注入するとき、図２０に示すように押付け治具５９を使用して、水路構成部材４１と管路Ｐとの間に挿入し、水路構成部材がコンクリートの圧力で浮き上がるのを防止すると好ましい。押付け治具５９は管路Ｐの上部壁面に当接する上部当て板５９ａと、この上部当て板に揺動可能に連結される２つの略Ａ字状のアーム５９ｂと、このアームの脚に固定される４つの下部当て板５９ｃとを備えており、これらを必要な長さだけ連結して構成され、支持ワイヤＳＷに沿って管路Ｐ内に挿入される。
【００８３】
この例では、水路構成部材４１は破断した管路Ｐの底面とスペーサ４７Ａ，４７Ｂで間隔が保たれて勾配が付けられている。管路Ｐが途中で破断しているときでも、管路Ｐをモルタル等で補修したあと押付け治具５９のアーム５９ｂを揺動させて、４つの下部当て板５９ｃを水路構成部材４１の傾斜部又はフランジ部分に当接させ、上部当て板５９ａを管路Ｐの上部壁面に当接させることにより水路構成部材４１を下方に押付けることができ、コンクリートやモルタルの注入時に水路構成部材４１が浮き上がり、移動することを防止できる。さらに、図示していないが、押付け治具５９の代わりに、水路構成部材と管路の上面との間にエアバックを挿入し、これに空気を注入して膨らませることにより水路構成部材の浮き上がりを防止することもできる。
【００８４】
本発明に係る水路構成部材の他の実施形態を図２１に基づき詳細に説明する。図２１は本発明に係る水路構成部材の他の実施形態を示し、（ａ）は要部断面図、（ｂ），（ｃ）はそれぞれ小径、大径の管路に固定した状態の概略断面図である。なお、この実施形態は前記した実施形態に対し、水路構成部材は、傾斜部の端部に連続する補助傾斜板部を、さらに備えるものである。そして、他の実質的に同等の構成については同じ符号を付して詳細な説明は省略する。
【００８５】
図２１において、水路構成部材４１のインバート部４２の上端に連続する傾斜部４３，４３の端部には、可撓性を有するゴム製の補助傾斜板部４３Ａ，４３Ａが連続している。すなわち、補助傾斜板部４３Ａ，４３Ａは、内側の端部に係合溝が形成され、この係合溝で傾斜部４３，４３に嵌合固定されている。補助傾斜板部４３Ａ，４３Ａは必要に応じて鋏等で任意の幅に切断することができ、所定の幅に切断して管路の内壁面と傾斜部とを任意の曲率で、或いは直線的に連結することができ、補助傾斜板部４３Ａと管路Ｐの内壁面とは弾接することが好ましい。
【００８６】
前記と同様の水路構成工法によって、管路Ｐ内に所望の勾配をもって水路構成部材４１…を連結したときに、上流側の水路構成部材４１は傾斜部４３，４３と管路内壁面との間隔が大きくなり、下流側は傾斜部４３，４３と管路内壁面との間隔が小さくなるが、この実施形態においては、補助傾斜板部４３Ａ，４３Ａが湾曲して間隔部分を連結するため、水路構成部材４１の下方にコンクリートＣ２を容易に充填することができ、傾斜部４３，４３と管路Ｐの内壁面との間に段差ができないため汚水等が滞留することがなくなり、汚水等は円滑に流下することができ、臭気等を発生することはない。
【００８７】
また、図２１（ｂ）のように小径の管路Ｐ１の場合、補助傾斜板部４３Ａ，４３Ａは湾曲して内壁面に弾接し、図２１（ｃ）のように大径の管路Ｐ２の場合、補助傾斜板部４３Ａ，４３Ａは直線的に内壁面に弾接する。さらに大径の管路の場合、幅がさらに大きい補助傾斜板部を連結することも可能である。補助傾斜板部は、係合溝に嵌合させて連結することに限らず、接着剤で固定してもよく、ビス止め等で連結するようにしてもよい。
【００８８】
つぎに、水路構成部材のさらに他の実施形態を、図２２を参照して説明する。この実施形態に示す水路構成部材６０は、前記した実施形態と比較して、ガイドワイヤＷでガイドして支持されるガイド部が断面積の大きいガイド孔６５より形成されることを特徴としている。すなわち、ガイド孔６５はインバート部６１の下方と傾斜部６２の外方とを連結する三角柱状をしており、断面積が大きく形成され、剛性が高くねじれにくい形状であり、汚水等に浮かせた状態で浮力が大きく作用する形状をしている。そして、インバート部と傾斜部の外側に接合フランジ部６３が形成され、６個の連結孔６４が開いている。
【００８９】
この水路構成部材６０を管路Ｐ内にガイドワイヤＷに沿わせて挿入し、コンクリートＣ１，Ｃ２等で固定したあと、ガイド孔６５を構成するインバート部６１と傾斜部６２の壁面を除去することにより、汚水等の流れる水路部分の断面積を大きくすることができ、管路Ｐ内に水路を構成したときの水路の断面欠損を最小とすることができ、流量を大きくすることができる。
【００９０】
また、ガイド孔６５の断面積が大きく、汚水等を堰き止めて水路構成部材６０を浮かして管路Ｐ内に挿入するとき、浮力が大きく作用するため挿入が容易に行える。この水路構成部材６０の場合、インバート部６１と傾斜部６２の壁面を除去しなくても、水路構成部材６０，６０を連結するマンホールのインバート部の幅をガイド孔の幅と同じに大きくすることにより、汚水や雨水をガイド孔６５に流すことができ、断面欠損を少なくできる。
【００９１】
なお、前記した実施の形態では、ガイドワイヤで案内されるガイド部として、片側に３個のガイド孔の例を示したが、図２３（ａ）に示すような３対のガイド溝４６ａを有する水路構成部材４１Ａや、図２３（ｂ）に示すような１対のスリット４６ｂを有する水路構成部材４１Ｂ等でもよく、また個数は３個に限らず、１個でも、さらに多数でもよい。前記のガイド溝やスリットの場合、ガイドワイヤを開口部から挿入できるため、水路構成部材を管路に挿入するときにガイドワイヤの一端を外さずにガイドすることができる。ガイド溝やスリットの入口の幅をガイドワイヤの径より僅かに小さく設定すると、嵌合されたときに安易に外れることがなく好ましい。
【００９２】
また、図２４に示す水路構成部材は、（ａ）に示す通常型の水路構成部材７０と、（ｂ）に示す浅型の水路構成部材７５がある。水路構成部材７０のインバート部７１は半円状をしており、インバート部７１の上端から傾斜部７２が連続しており、傾斜部７２の下方にガイド部７３が形成されている。水路構成部材７５のインバート部７６は開口幅が大きく曲率半径の大きい円弧で形成され、インバート部７６の上端から傾斜部７７が連続しており、その下面にガイド部７８が形成されている。浅型の水路構成部材７５は、管路Ｐの低い位置に固定できるため、適正勾配を保ちつつ管路Ｐの断面欠損を少なくできる。
【００９３】
前記した実施の形態では、支持部材１０に宙吊り状態に支持される支持体２０として、断面が略コ字状の支持体の例を示したが、断面が略Ｌ字状のアングル材や、断面が矩形状の支持体を用いてもよいのは勿論である。また、２本の支持体を連結する幅止めも、アングル２４に限られるものでなく、適宜の断面形状を有するものを使用してもよい。
【００９４】
管路内に水路構成部材を固定する工程において、途中までコンクリートＣ１を注入する仮固定と、上部までコンクリートＣ２を注入する本固定に分けて固定する例を示したが、支持部材による水路構成部材の支持を、例えば水路構成部材の内側にする等の変更を行い、１度で上部までコンクリートを注入するようにしてもよい。また、仮固定を接着剤等で行い、本固定を充填剤やコンクリートで行うようにしてもよい。
【００９５】
さらに、２本のレール状の支持体２０に、水路構成部材１を固定する手段として蝶ねじ２１を示したが、これに限られるものでなく、例えばビス止めやボルト止め等や、他の固定手段を使用してもよい。支持部材と管路の壁面との固定はねじジャッキで圧接する例を示したが、例えばラックピニオン等の機構やバネを用いた弾接機構等を用いて壁面を押圧して固定するように構成してもよい。また、吊下げ軸の可動部として、外周ねじ部とダブルナットによって鉛直方向の位置を調整する例を示したが、ウォームギヤ等の他の機構を用いて調整するようにしてもよい。
【００９６】
また、水路構成部材は合成樹脂製に限られるものでなく、金属板材を屈成して形成したもの等、適宜のものを採用できる。ガイドワイヤＷを支持するワイヤ支持部材５０は前記した構成に限られず、ガイドワイヤを張った状態に支持できるものであれば、どのような構成でもよい。さらに、本発明は、老朽化した既設の管路内に水路を構成するものに限らず、新規の管路内に水路を構成するものにも適用できることは勿論である。
【００９７】
管路内にガイド手段を張設する工程で、ワイヤ支持部材を使用する例や、架台に垂直軸を支持して垂直軸の下端の滑車を用いてガイドワイヤを張設する例を示したが、これらの部材や架台を用いずにマンホール内に木材を組み合わせて仮枠を現場施工で構成し、この仮枠を使用してガイドワイヤ等を張設するように構成してもよく、ガイド手段を張設する構成は問わない。
【００９８】
【発明の効果】
以上の説明から理解できるように、本発明の管路内における水路構成工法は、工程を大幅に簡略化でき、工事期間の大幅な短縮と、コストの大幅な低減が可能となる。また、管路が供用中であり、汚水等が流下している状態でも、勾配を付けて連結した水路構成部材に水替えすることができるため、水替え配管を別途に設置する必要がなく、工程を大幅に簡略化でき、工期を大幅に短縮できる。
【００９９】
また、本発明の他の水路構成工法は、下地コンクリートを打設する工程を省略でき、工期を短縮することができ、水路構成部材の支持が容易に行えると共に、支持部材を何度でも使用することができるため、コストを低減できる。さらに、勾配を容易に設定でき、しかも精度よく連続的に設定できるため、汚水等を円滑に流下させることができ、滞留や臭気の発生を防止できる。
【０１００】
本発明の水路構成部材は、開口端部及び支持フランジ部を補強されているため破損することが少なく、施工が容易となる。また、水路構成部材をコンクリート等で固定したとき、上端と支持フランジ部と間に所望のコンクリート厚が取れるため、コンクリート等のひび割れを防止できると共に、水路構成部材の耐久性を向上させることができる。
【０１０１】
本発明の他の水路構成工法は、水路構成部材に垂直高さを調整したスペーサを固定して連結するため、水路構成部材の所望の勾配を容易に付けることができる。また、少なくとも２つのマンホール間にガイドワイヤ等のガイド手段を張設し、このガイド手段に沿わせて水路構成部材を順次連結して管路内に挿入するため、人が入れないような管径の小さい管路でも管路内に新規の水路を構成することができる。さらに、工程が簡略化できるため、短期間で、しかも低コストで管路内に水路を構成することができる。
【０１０２】
水路構成部材を連結するとき、接合フランジ部に高さを調整できるスペーサを固定し管路の底面に対接させると、連結された水路構成部材に任意の勾配を付けることができる。水路構成部材の管路への固定は、先ず少量のコンクリート等で水路構成部材の連結手段を固定したあと、水路構成部材と管路との間をコンクリート等で充填するように２段階とすると、水路構成部材が移動することなく安定して固定でき、水路構成部材の下方へのコンクリート等の充填により水路構成部材が浮き上がることなく確実に行える。連結された水路構成部材に水替えすると、別の水替え用の配管等が不要となり工程を簡略化でき、部材を節減できると共にコストを低減できる。
【０１０３】
本発明の他の水路構成部材は、インバート部に連続する傾斜部を備えており、傾斜部の下面にガイド部を備えているため、軽量でねじれにくい形状とすることができる。また、マンホール間に張設したガイドワイヤに沿わせて管路内に挿入でき、接合フランジ部を連結して管路内に新規の水路を容易に構成することができる。さらに、傾斜部の端部に補助傾斜板部を連続させると、水路構成部材の下方にコンクリートやモルタルを容易に充填でき、水路構成部材と管路との間に段差ができず汚水等が滞留することを防止できる。
【図面の簡単な説明】
【図１】本発明に係る水路構成工法に用いる水路構成部材を示し、（ａ）は平面図、（ｂ）は一部を破断した正面図、（ｃ）は（ｂ）の一部を破断した側面図。
【図２】（ａ）は図１の要部拡大断面図、（ｂ），（ｃ）はそれぞれ補強材の他の例の断面図。
【図３】管路内の低い位置に固定された支持部材を示す断面図。
【図４】図３の一部を側面図としたＡ−Ａ線断面図。
【図５】管路内の高い位置に固定された支持部材を示す断面図。
【図６】水路構成工法の各工程を示す管路の概略縦断面図。
【図７】水路構成部材を連結して勾配を付けて支持した状態の一部破断平面図。
【図８】図７の一部破断側面図。
【図９】図６（ｃ）の工程の他の例を示す断面図。
【図１０】湾曲している管路の平面図。
【図１１】（ａ）は図１０の管路に使用する曲がりコマの平面図、（ｂ）は（ａ）の概略斜視図。
【図１２】本発明に係る水路構成部材の他の実施形態を示し、（ａ）は一部を破断した平面図、（ｂ）は一部を破断した正面図。
【図１３】（ａ）は図１２の水路構成部材の側面図、（ｂ）は図１２のＡ−Ａ線断面図。
【図１４】（ａ）は水路構成部材に挟むスペーサの正面図、（ｂ）は（ａ）のスペーサを挟んで連結した水路構成部材の要部の連結状態図。
【図１５】ガイドワイヤを支持する支持部材を管路に固定した状態の管路断面図。
【図１６】他の水路構成工法の各工程を示し、（ａ）はガイドワイヤを張設した状態、（ｂ）は水路構成部材を挿入する状態のマンホールと管路の概略断面図。
【図１７】図１６の工程に続く各工程を示し、（ａ）は水路構成部材を挿入する他の状態、（ｂ）は水替えの工程を示すマンホールと管路の概略断面図。
【図１８】他の水路構成工法の各工程を示す管路の概略断面図。
【図１９】ガイドワイヤを張接する他の工程の例を示す管路の概略断面図。
【図２０】コンクリートで水路構成部材を固定する前工程の他の例を示し、（ａ）は水路構成部材の押付け治具の概略斜視図、（ｂ）は管路の概略断面図。
【図２１】本発明に係る水路構成部材のさらに他の実施形態を示し、（ａ）は要部断面図、（ｂ），（ｃ）はそれぞれ小径、大径の管路に固定した状態の概略断面図。
【図２２】本発明に係る水路構成部材のさらに他の実施形態を示し、（ａ）は要部断面図、（ｂ）は管路に固定した状態の概略断面図。
【図２３】（ａ）、（ｂ）はそれぞれ水路構成部材のガイド部の他の例を示す断面図。
【図２４】（ａ）、（ｂ）はそれぞれ水路構成部材の他の例を示す管路の断面図。
【符号の説明】
１  水路構成部材、    ２  インバート部、
３  接合フランジ部、  ５  支持フランジ部、
７  アングル材（補強材）、
１０  支持部材、
１１  水平梁材（水平部材）、
１５  吊下げ軸（垂直部材）、
２０  支持体、        ２１  蝶ねじ、
２５  吊下げ部材、
４１，４１Ａ，４１Ｂ  水路構成部材、
４２，６１  インバート部、
４３，６２  傾斜部、
４３Ａ  補助傾斜板部、
４４，６３  接合フランジ部、
４５，６４  連結孔、
４６，４６Ａ，６５  ガイド孔（ガイド部）、
４６ａ  ガイド溝（ガイド部）、
４６ｂ  スリット（ガイド部）、
４７  スペーサ、        ４７ａ  脚部、
４８  連結手段、        ５０  ワイヤ支持部材、
７０，７５  水路構成部材、
７１，７６  インバート部、
７２，７７  傾斜部、
７３，７８  ガイド部、
Ｐ  管路、
Ｗ  ガイドワイヤ（ガイド手段）、
Ｈ１，Ｈ２  マンホール、
Ｃ１  コンクリート、    Ｃ２  コンクリート
Ｃａ  傾斜面
【図１】
0003924492.tif 000002
【図２】
0003924492.tif 000003
【図３】
0003924492.tif 000004
【図４】
0003924492.tif 000005
【図５】
0003924492.tif 000006
【図６】
0003924492.tif 000007
【図７】
0003924492.tif 000008
【図８】
0003924492.tif 000009
【図９】
0003924492.tif 000010
【図１０】
0003924492.tif 000011
【図１１】
0003924492.tif 000012
【図１２】
0003924492.tif 000013
【図１３】
0003924492.tif 000014
【図１４】
0003924492.tif 000015
【図１５】
0003924492.tif 000016
【図１６】
0003924492.tif 000017
【図１７】
0003924492.tif 000018
【図１８】
0003924492.tif 000019
【図１９】
0003924492.tif 000020
【図２０】
0003924492.tif 000021
【図２１】
0003924492.tif 000022
【図２２】
0003924492.tif 000023
【図２３】
0003924492.tif 000024
【図２４】
0003924492.tif 000025